(57)【特許請求の範囲】
【請求項１】
印刷機構部と、前記印刷機構部を覆うカバーと、電源と、当該電源から前記印刷機構部を有する負荷側へ電力を供給する電力供給ラインを有し、前記負荷側への電力の供給を制御する制御回路とを備え、
前記制御回路は、
前記カバーの開閉に応じて、前記電力供給ラインから前記負荷側への電力の供給をオンオフする第１スイッチ回路と、
前記電力供給ライン上において前記第１スイッチ回路より前記電源側に配置され、前記第１スイッチ回路側への電力の供給をオンオフする第２スイッチ回路と、
前記第２スイッチ回路に対して並行に接続する第１抵抗と、
前記負荷側の電圧を前記第２スイッチ回路にフィードバックする回路であって、所定の電圧と前記負荷側の電圧とを比較する比較回路を有するフィードバック回路と、を有し、
前記カバーが開いた場合、前記第１スイッチ回路は、前記電力供給ラインから前記負荷側への電力の供給をオフにし、前記制御回路は、前記負荷側の電圧低下に伴い前記フィードバック回路が備える前記比較回路により前記第２スイッチ回路をオフにし、
前記カバーが閉じた場合、前記第１スイッチ回路は、前記電力供給ラインから前記負荷側への電力の供給をオンにし、前記制御回路は、前記第２スイッチ回路がオフの状態で前記第１抵抗を介して前記負荷側へ電力を供給し、前記負荷側の電圧上昇に伴い、前記フィードバック回路が備える前記比較回路により前記第２スイッチ回路をオンにする、
ことを特徴とするプリンター。
【請求項２】
前記第２スイッチ回路は、第１容量成分を備え、
前記制御回路は、
前記比較回路により前記第２スイッチ回路の前記第１容量成分に蓄えられた電荷を放電させ、前記第２スイッチ回路をオフにする、
ことを特徴とする請求項１に記載のプリンター。
【請求項３】
前記制御回路は、
接地された第２抵抗と、前記負荷側に第２容量成分を備え、
前記第１スイッチ回路がオフの場合、前記第２抵抗を介して、前記負荷側の前記第２容量成分が蓄える電荷を放電させる、
ことを特徴とする請求項１又は２に記載のプリンター。
【請求項４】
ロジック回路を備え、
前記所定の電圧は前記ロジック回路の電源電圧を分圧した電圧であり、
前記比較回路は、
前記分圧した電圧と、前記負荷側の電圧を比較する、
ことを特徴とする請求項１から３のいずれか一項に記載のプリンター。
【請求項５】
前記第１スイッチ回路は、前記カバーの開閉と連動するメカニカルスイッチであり、
前記第２スイッチ回路は、トランジスターを含む、
ことを特徴とする請求項１から３のいずれか一項に記載のプリンター。
【請求項６】
印刷機構部、前記印刷機構部を覆うカバー、電源、及び、当該電源から前記印刷機構部を有する負荷側へ電力を供給する電力供給ラインと、前記カバーの開閉に応じて前記電力供給ラインから前記負荷側への電力の供給をオンオフする第１スイッチ回路と、前記電力供給ライン上において前記第１スイッチ回路より前記電源側に配置され、前記第１スイッチ回路側への電力の供給をオンオフする第２スイッチ回路と、前記第２スイッチ回路に対して並行に接続する第１抵抗と、前記負荷側の電圧を前記第２スイッチ回路にフィードバックする回路であって、所定の電圧と前記負荷側の電圧とを比較する比較回路を有するフィードバック回路とを有する制御回路を備えるプリンターの制御方法であって、
前記カバーが開いた場合、前記第１スイッチ回路は、前記電力供給ラインから前記負荷側への電力の供給をオフにし、前記制御回路は、前記負荷側の電圧低下に伴い前記フィードバック回路が備える前記比較回路により前記第２スイッチ回路をオフにし、
前記カバーが閉じた場合、前記第１スイッチ回路は、前記電力供給ラインから前記負荷側への電力の供給をオンにし、前記制御回路は、前記第２スイッチ回路がオフの状態で前記第１抵抗を介して前記負荷側へ電力を供給し、前記負荷側の電圧上昇に伴い、前記フィードバック回路が備える前記比較回路により前記第２スイッチ回路をオンにする、
ことを特徴とするプリンターの制御方法。
【発明の詳細な説明】
【技術分野】
【０００１】
本発明は、プリンター、及び、プリンターの制御方法に関する。
【背景技術】
【０００２】
従来、突入電流が流れることを抑制する技術が知られている（例えば、特許文献１参照）。特許文献１では、負荷に電力を供給する際、電力供給ライン上に配置される抵抗と、当該抵抗に並列なトランジスターをオンに切り替る時間を遅延させることにより、突入電流が流れることを抑制したプリンターの電源回路を開示する。
【先行技術文献】
【特許文献】
【０００３】
【特許文献１】特開２００８−９０６０号公報
【発明の概要】
【発明が解決しようとする課題】
【０００４】
特許文献１に示すようなプリンターは、印刷機構部と、印刷機構部を覆うカバーとを備える。この種のプリンターは、カバーが開いた際、安全性を確保するため、印刷機構部の動作を停止させ、カバーが閉じた際、負荷へ突入電流が流れることを防止することが望まれていた。
そこで、本発明は、カバーの開閉に応じて適切に印刷機構部への電力の供給を制御した上で、突入電流が流れることを防止できるようにすることを目的とする。
【課題を解決するための手段】
【０００５】
上記目的を達成するために、本発明のプリンターは、印刷機構部と、前記印刷機構部を覆うカバーと、電源と、当該電源から前記印刷機構部を有する負荷側へ電力を供給する電力供給ラインを有し、前記負荷側への電力の供給を制御する制御回路とを備え、前記制御回路は、前記カバーの開閉に応じて、前記電力供給ラインから前記負荷側への電力の供給をオンオフする第１スイッチ回路と、前記電力供給ライン上において前記第１スイッチ回路より前記電源側に配置され、前記第１スイッチ回路側への電力の供給をオンオフする第２スイッチ回路と、前記第２スイッチ回路に対して並行に接続する第１抵抗と、前記負荷側の電圧を前記第２スイッチ回路にフィードバックする回路であって、所定の電圧と前記負荷側の電圧とを比較する比較回路を有するフィードバック回路と、を有し、前記カバーが開いた場合、前記第１スイッチ回路は、前記電力供給ラインから前記負荷側への電力の供給をオフにし、前記制御回路は、前記負荷側の電圧低下に伴い前記フィードバック回路が備える前記比較回路により前記第２スイッチ回路をオフにし、前記カバーが閉じた場合、前記第１スイッチ回路は、前記電力供給ラインから前記負荷側への電力の供給をオンにし、前記制御回路は、前記第２スイッチ回路がオフの状態で前記第１抵抗を介して前記負荷側へ電力を供給し、前記負荷側の電圧上昇に伴い、前記フィードバック回路が備える前記比較回路により前記第２スイッチ回路をオンにすることを特徴とする。
これにより、カバーが開いた場合、印刷機構部を有する負荷側への電力の供給をオフにし、カバーが閉じた場合、第１抵抗及び比較回路による第２スイッチ回路のオンにより負荷側へ電力を供給するため、カバーの開閉に応じて適切に印刷機構部への電力の供給を制御した上で、突入電流が流れることを防止できる。
【０００６】
また、本発明のプリンターは、前記第２スイッチ回路は、第１容量成分を備え、前記制御回路は、前記比較回路により前記第２スイッチ回路の前記第１容量成分に蓄えられた電荷を放電させ、前記第２スイッチ回路をオフにすることを特徴とする。
これにより、比較回路により第２スイッチ回路の第１容量成分に蓄えられた電荷を放電させ、第２スイッチ回路をオフにするため、カバーを開閉する期間が短い期間であっても、負荷側へ突入電流が流れることを防止できる。
【０００７】
また、本発明のプリンターは、前記制御回路は、接地された第２抵抗と、前記負荷側に第２容量成分を備え、前記第１スイッチ回路がオフの場合、前記第２抵抗を介して、前記負荷側の前記第２容量成分が蓄える電荷を放電させることを特徴とする。
これにより、第２抵抗を介して第２容量成分に蓄えられた電荷を放電するため、負荷側の電圧を速やかに低下できる。
【０００８】
また、本発明のプリンターは、ロジック回路を備え、前記所定の電圧は前記ロジック回路の電源電圧を分圧した電圧であり、前記比較回路は、前記分圧した電圧と、前記負荷側の電圧を比較することを特徴とする。
これにより、比較回路がロジック回路の電源電圧を分圧した電圧と、負荷側の電圧を比較するため、負荷側への電力の供給のオンオフに係らず、負荷側の電圧について比較できる。
【０００９】
また、本発明のプリンターは、前記第１スイッチ回路は、前記カバーの開閉と連動するメカニカルスイッチであり、前記第２スイッチ回路は、トランジスターを含むことを特徴とする。
これにより、カバーの開閉に応じて、確実に負荷側への電力の供給を制御でき、ユーザーの誤操作に影響なく突入電流を抑制できる。
【００１０】
上記目的を達成するために、本発明は、印刷機構部、前記印刷機構部を覆うカバー、電源、及び、当該電源から前記印刷機構部を有する負荷側へ電力を供給する電力供給ラインと、前記カバーの開閉に応じて前記電力供給ラインから前記負荷側への電力の供給をオンオフする第１スイッチ回路と、前記電力供給ライン上において前記第１スイッチ回路より前記電源側に配置され、前記第１スイッチ回路側への電力の供給をオンオフする第２スイッチ回路と、前記第２スイッチ回路に対して並行に接続する第１抵抗と、前記負荷側の電圧を前記第２スイッチ回路にフィードバックする回路であって、所定の電圧と前記負荷側の電圧とを比較する比較回路を有するフィードバック回路とを有する制御回路を備えるプリンターの制御方法であって、前記カバーが開いた場合、前記第１スイッチ回路は、前記電力供給ラインから前記負荷側への電力の供給をオフにし、前記制御回路は、前記負荷側の電圧低下に伴い前記フィードバック回路が備える前記比較回路により前記第２スイッチ回路をオフにし、前記カバーが閉じた場合、前記第１スイッチ回路は、前記電力供給ラインから前記負荷側への電力の供給をオンにし、前記制御回路は、前記第２スイッチ回路がオフの状態で前記第１抵抗を介して前記負荷側へ電力を供給し、前記負荷側の電圧上昇に伴い、前記フィードバック回路が備える前記比較回路により前記第２スイッチ回路をオンにすることを特徴とする。
これにより、カバーが開いた場合、印刷機構部を有する負荷側への電力の供給をオフにし、カバーが閉じた場合、第１抵抗及び比較回路による第２スイッチ回路のオンにより負荷側へ電力を供給するため、カバーの開閉に応じて適切に印刷機構部への電力の供給を制御した上で、突入電流が流れることを防止できる。
【図面の簡単な説明】
【００１１】
【図１】プリンターの要部の構成を示す図。
【図２】プリンターの構成を示すブロック図。
【図３】従来の制御回路の構成を示す図。
【図４】従来の制御回路の各部の状態を示すタイミングチャート。
【図５】本実施形態に係る制御回路の構成を示す図。
【図６】制御回路の各部の状態を示すタイミングチャート。
【発明を実施するための形態】
【００１２】
図１は、プリンター１の要部の構成を示す図である。
図１を用いた説明では、矢印で示すように、図中の左へ向かう方向を「前方」とし、図中で右へ向かう方向を「後方」とし、図中で上へ向かう方向「上方」とし、図中で下へ向かう方向を「下方」とする。
【００１３】
プリンター１は、シリアルインクジェットプリンターである。プリンター１は、ロール紙Ｒを収容し、ロール紙Ｒを繰り出して搬送方向Ｈに搬送する。プリンター１は、搬送するロール紙Ｒに、シリアルインクジェットヘッドとして構成された印刷ヘッド１０によりインクを吐出して印刷を実行する。本実施形態では、ロール紙Ｒは、帯状の剥離紙に、間隔をあけて複数のシール部が貼付されたラベル用紙である。シール部の裏面は、シールとなっており、シール部は剥離紙から取り剥がすことができる。
【００１４】
図１に示すように、プリンター１は、ロール紙Ｒを収容するロール紙収容部１１を備える。以下の説明では、ロール紙Ｒのうち、ロール紙収容部１１に収容されたロール状の部分を「ロール体ＲＴ」と表現する。また、ロール紙Ｒのうち、ロール紙収容部１１に収容されたロール体ＲＴから繰り出されて搬送される部分を「搬送ロール紙ＨＲ」と表現する。
【００１５】
図１に示すように、プリンター１には、搬送ロール紙ＨＲが搬送される経路である搬送経路１３が形成される。ロール体ＲＴから繰り出された搬送ロール紙ＨＲは、搬送経路１３に沿って搬送される。
【００１６】
図１に示すように、搬送経路１３には、搬送方向Ｈにおける上流から下流に向かって３つの搬送ローラー１４１、１４２、１４３が設けられる。搬送ローラー１４１、１４２、１４３のそれぞれに対向する位置には、搬送ローラー１４１、１４２、１４３の回転に従動して回転する従動ローラー１５１、１５２、１５３が設けられる。搬送ロール紙ＨＲは、搬送ローラー１４１、１４２、１４３と、従動ローラー１５１、１５２、１５３とに挟持され、搬送ローラー１４１、１４２、１４３の回転に応じて、搬送方向Ｈに搬送される。搬送ローラー１４１、１４２、１４３は、動力伝達機構を介して搬送モーター２０２（図２）と接続されており、搬送モーター３３の駆動に応じて回転する。
【００１７】
図１に示すように、搬送方向Ｈの最も上流側に設けられた搬送ローラー１４１と、搬送ローラー１４１の下流に設けられた搬送ローラー１４２との間には、案内部材１７が設けられる。案内部材１７は、搬送ロール紙ＨＲの裏面に接触し、上方へ向かって繰り出された搬送ロール紙ＨＲを、前方に向かうように屈曲させる。案内部材１７は、搬送ロール紙ＨＲに接触して屈曲させることにより、搬送ロール紙ＨＲに張りを与え、搬送ロール紙ＨＲの弛みが発生することを抑制する。
【００１８】
搬送ローラー１４２の搬送方向Ｈにおける下流には、ブラックマークセンサー１８１が設けられる。ブラックマークセンサー１８１は、裏面にブラックマークが形成されたロール紙Ｒがプリンター１に収容される場合に、ブラックマークを光学的に検出するセンサーである。ＳＯＣ２００（図２）は、ブラックマークセンサー１８１の検出値に基づいて、当該センサーの検出位置にブラックマークが位置した場合、そのことを検出する。ＳＯＣ２００は、検出結果に基づいて、ロール紙Ｒの位置を管理する。
【００１９】
ブラックマークセンサー１８１の搬送方向Ｈにおける下流には、搬送ローラー１４３が設けられ、搬送ローラー１４３の下流には、印刷ユニット１９が設けられる。印刷ユニット１９は、キャリッジ２０と、キャリッジ２０に搭載された印刷ヘッド１０とを備える。
【００２０】
キャリッジ２０は、搬送方向Ｈと交差する走査方向に延びたキャリッジ軸２０ａに支持され、キャリッジ軸２０ａに沿って、走査方向に印刷ヘッド１０を走査する。印刷ヘッド１０は、インクジェットヘッドであり、複数色（例えば、ＣＹＭＫの４色）のノズル列を備える。印刷ヘッド１０は、図示しないインクカートリッジからインクの供給を受けて、各ノズル列に設けられたノズルからインクを吐出して搬送ロール紙ＨＲにドットを形成して画像を印刷する。
【００２１】
印刷ユニット１９の搬送方向Ｈにおける下流には、カッターユニット２１が設けられる。カッターユニット２１は、固定刃２２と、固定刃２２に対して交叉するように移動可能な可動刃２３とを備える。カッターユニット２１は、可動刃２３を移動させて、搬送ロール紙ＨＲを切断する。
【００２２】
カッターユニット２１の搬送方向Ｈにおける下流には、排紙口２４が設けられる。搬送ロール紙ＨＲは、排紙口２４を介して、プリンター１の筐体の外に排出される。
【００２３】
図１に示すように、ロール体ＲＴの前方には、軸２７を中心として回動するカバー２６が設けられる。カバー２６は、開いた状態（以下、「開状態」と表現する）となるとロール紙収容部１１が露出し、ロール紙Ｒの交換が可能となる。また、カバー２６は、開状態となると、ロール紙収容部１１を露出すると共に、搬送モーター２０２等の印刷機構部１０１（後述）（図２）が露出する。つまり、カバー２６は、閉じた状態（以下、「閉状態」と表現する）となると、ロール紙収容部１１と印刷機構部１０１とを覆う。カバー２６は、手動の操作により開閉可能に構成される。ユーザーは、操作によりカバー２６を所定の方向に回動させ、カバー２６を開状態又は閉状態のいずれかの状態にすることができる。
【００２４】
図２は、プリンター１の構成を示すブロック図である。
図２示すように、プリンター１は、ＡＣ／ＤＣコンバーター１０３と、ドロッパー回路１０４と、制御回路１０５とを備える。
【００２５】
ＡＣ／ＤＣコンバーター１０３は、商用交流電源ＤＧにケーブルを介して接続され、例えば１００ボルトの交流電圧を入力して、整流、平滑、及び、電圧変換し、４２ボルトの直流電圧を出力する。ＡＣ／ＤＣコンバーター１０３は、商用交流電源ＤＧに接続するケーブルに対し、着脱可能に構成される。
【００２６】
ドロッパー回路１０４は、入力された電力を降圧し、降圧した電力を後述するロジック回路１００に供給する。本実施形態において、ドロッパー回路１０４は、４２ボルトを３．３ボルト又は５ボルトに降圧し、降圧した電力をロジック回路１００に供給する。
【００２７】
制御回路１０５は、入力された電力に基づいて、印刷機構部１０１に電力の供給を制御する回路である。本実施形態において、制御回路１０５は、４２ボルトの電力が入力され、入力された電力に基づいて、印刷機構部１０１への電力の供給を制御する。
【００２８】
図２に示すように、プリンター１は、ロジック回路１００と、印刷機構部１０１とを備える。前述した通り、ロジック回路１００は、ドロッパー回路１０４から電力の供給を受け、印刷機構部１０１は、制御回路１０５から電力の供給を受ける。
【００２９】
ロジック回路１００は、ＳＯＣ２００と、メモリー２０１と、を備える。
ＳＯＣ２００は、プリンター１の各部を制御する集積回路である。ＳＯＣ２００は、図示しない演算実行部としてＣＰＵ等を備える。ＳＯＣ２００には、ＲＯＭ（不図示）が接続し、このＲＯＭはＣＰＵによって実行可能な制御プログラム、及び、制御プログラムに係るデータを不揮発的に記憶する。ＳＯＣ２００はＲＯＭが記憶する制御プログラムを実行することによって、印刷機構部１０１による印刷の動作を制御するとともに、プリンター１の各部を制御する。
【００３０】
メモリー２０１は、ＥＥＰＲＯＭやフラッシュメモリー等の半導体記憶素子、或いは、ハードディスク等の記憶媒体を備え、各種データを書き換え可能に不揮発的に記憶する。
【００３１】
図２に示すように、ＳＯＣ２００には、ブラックマークセンサー１８１が接続する。ブラックマークセンサー１８１は、所定の周期で、検出値をＳＯＣ２００に出力する。ＳＯＣ２００は、ブラックマークセンサー１８１からの入力に基づいて、ブラックマークセンサー１８１の検出位置にブラックマークが位置したことを検出する。
【００３２】
印刷機構部１０１は、搬送モーター２０２と、キャリッジ移動モーター２０３と、カッター駆動モーター２０４と、ヘッド駆動回路２０５とを備える。
【００３３】
搬送モーター２０２は、搬送ローラー１４１、１４２、１４３を回転させるモーターであり、搬送ローラー１４１、１４２、１４３と接続する。ＳＯＣ２００は、搬送モーター２０２に駆動信号を出力し、搬送モーター２０２を駆動する。搬送モーター２０２の駆動に応じて、搬送ローラー１４１、１４２、１４３が回転し、搬送ローラー１４１、１４２、１４３の回転に応じて、搬送ロール紙ＨＲが搬送方向Ｈに搬送される。
【００３４】
キャリッジ移動モーター２０３は、キャリッジ２０を搬送方向Ｈと交差する走査方向へ移動させるモーターであり、キャリッジ２０と接続する。ＳＯＣ２００は、キャリッジ移動モーター３２に駆動信号を出力し、キャリッジ移動モーター２０３を駆動する。キャリッジ移動モーター２０３の駆動に応じて、キャリッジ２０に搭載された印刷ヘッド１０が走査方向へ移動する。
【００３５】
カッター駆動モーター２０４は、可動刃２３を移動させるモーターであり、可動刃２３と接続する。ＳＯＣ２００は、カッター駆動モーター３４に駆動信号を出力し、カッター駆動モーター２０４を駆動する。カッター駆動モーター２０４の駆動に応じて、可動刃２３が移動し、搬送ロール紙ＨＲが切断される。
【００３６】
ヘッド駆動回路３５は、印刷ヘッド１０と接続する。ヘッド駆動回路３５は、ＳＯＣ２００の制御で、印刷ヘッド１０のノズルに対応して設けられたアクチュエーターを駆動し、ノズルからインクを吐出させる。ノズルからのインクの吐出に応じて、搬送ロール紙ＨＲにドットが形成される。
【００３７】
前述した通り、カバー２６が開状態である場合、プリンター１のロール紙収容部１１と印刷機構部１０１とが露出する。ここで、印刷機構部１０１が露出する際、安全性を確保するため、印刷機構部１０１の動作を停止する必要がある。また、カバー２６を開状態から閉状態にする際、印刷機構部１０１に突入電流が流れることを防止する必要がある。
そこで、従来、プリンター１は、カバー２６が開状態である場合に印刷機構部１０１の動作を停止し、カバー２６を開状態から閉状態にする際、印刷機構部１０１に突入電流が流れることを防止する制御回路１０５ａを備える。
【００３８】
図３は、従来の制御回路１０５ａの構成を示す図である。
【００３９】
図３に示すように、従来の制御回路１０５ａは、ＡＣ／ＤＣコンバーター１０３から入力された電力（直流の４２ボルトの電力）に基づいて、印刷機構部１０１に電力を供給するための電力供給ライン３００ａを備える。以下の説明において、制御回路１０５ａに電力を供給する側を電源側と表現し、制御回路１０５ａが電力を供給する側を負荷側と表現する。図３では、ＡＣ／ＤＣコンバーター１０３が制御回路１０５ａに電力を供給するため、ＡＣ／ＤＣコンバーター１０３が電源に相当し、ＡＣ／ＤＣコンバーター１０３が配置する側が電源側となる。また、図３では、印刷機構部１０１は、制御回路１０５ａから電力が供給されるため、印刷機構部１０１が負荷に相当し、印刷機構部１０１が配置する側が負荷側となる。
【００４０】
制御回路１０５ａは、電力供給ライン３００ａに設けられた状態でトランジスターＱＦａ（第２スイッチ回路）を備える。図３に示すように、トランジスターＱＦａは、後述するメカニカルスイッチＳＷａ（第１スイッチ回路）より電源側に設けられる。本実施形態では、トランジスターＱＦａは、ＦＥＴにより構成される。トランジスターＱＦａは、ゲートに印加される電圧に基づいて、オンオフの動作を行う。このオンオフは、ソースとドレインとの間が導通したか否かを示す。具体的に説明すると、トランジスターＱＦａは、ゲートに印加される電圧に応じて、ソースとドレインとの間に流れる電流を制御する。すなわち、トランジスターＱＦａのゲートに電圧が漸増して印加された場合、ソースとドレインとの間に流れる電流は漸増する。一方で、トランジスターＱＦａのゲートに電圧が漸減して印加された場合、ソースとドレインとの間に流れる電流は漸減する。ゲートに電圧が印加されない場合、ソースとドレインとの間が導通せず、ソースとドレインとの間には、電流が流れない。
【００４１】
従来の制御回路１０５ａの説明では、トランジスターＱＦａが、ソースとドレインとの間が導通しており、当該間に電流が流れることが可能な状態を実行することを「トランジスターＱＦａがオンの動作を実行する」と表現する。一方で、トランジスターＱＦａがソースとドレインとの間が導通せず、当該間に電流が流れない状態を実行することを「トランジスターＱＦａがオフの動作を実行する」と表現する。
トランジスターＱＦａには、ドレインからソースの方向に電流が流れるように寄生ダイオードＤａが、並行に接続して存在する。また、トランジスターＱＦａには、並行に抵抗Ｒ１ａ（第１抵抗）が接続する。
【００４２】
トランジスターＱＦａのドメインには、ヒューズ３０１ａが接続する。ヒューズ３０１ａは、トランジスターＱＦａとメカニカルスイッチＳＷａとの間に直列に接続し、電力供給ライン３００ａに電流値の大きい電流が流れた場合に、電力供給ライン３００ａに流れる電流を遮断する。
【００４３】
図３に示すように、制御回路１０５ａは、電力供給ライン３００ａに設けられた状態でヒューズ３０１ａの負荷側にメカニカルスイッチＳＷａを設ける。
【００４４】
メカニカルスイッチＳＷａは、例えば、インターロックスイッチ等で構成される。図３に示すように、メカニカルスイッチＳＷａは、端子Ｔ１ａと、端子Ｔ２ａと、端子Ｔ３ａと、操作部Ｓａとを備える。メカニカルスイッチＳＷａは、カバー２６の開閉と連動するよう構成され、カバー２６の開閉に連動して、操作部Ｓａの状態を切り替える。すなわち、メカニカルスイッチＳＷａは、カバー２６の開閉に連動して、操作部Ｓａの状態を、端子Ｔ１ａと端子Ｔ３ａとが接続する状態と、端子Ｔ２ａと端子Ｔ３ａとが接続する状態とを切り替える。メカニカルスイッチＳＷａは、カバー２６が開状態である場合、操作部Ｓａの状態を、端子Ｔ２ａと端子Ｔ３ａとが接続する状態とする。一方で、メカニカルスイッチＳＷａは、カバー２６が閉状態である場合、操作部Ｓａの状態を、端子Ｔ１ａと端子Ｔ３ａとが接続する状態とする。操作部Ｓａの状態が、端子Ｔ２ａと端子Ｔ３ａとが接続する状態である場合、メカニカルスイッチＳＷａは、電源側から負荷側への電力をオフにする。一方で、操作部Ｓａの状態が、端子Ｔ１ａと端子Ｔ３ａとが接続する状態である場合、メカニカルスイッチＳＷａは、電源側から負荷側への電力の供給をオンにする。以下の説明において、「メカニカルスイッチＳＷａがオンである」ことは、操作部Ｓａの状態が端子Ｔ１ａと端子Ｔ３ａとを接続する状態であることを示し、「メカニカルスイッチＳＷａがオフである」ことは、操作部Ｓａの状態が端子Ｔ２ａと端子Ｔ３ａとを接続する状態であることを示す。
【００４５】
図３に示すように、メカニカルスイッチＳＷａの端子Ｔ１ａには、ヒューズ３０１ａが接続する。また、メカニカルスイッチＳＷａの端子Ｔ２ａには、他端が接地された抵抗Ｒ２ａ（第２抵抗）が接続する。また、メカニカルスイッチＳＷａの端子Ｔ３ａには、負荷側に供給する電圧を安定するための電解コンデンサーＣ２ａ（第２容量成分）が接続する。電解コンデンサーＣ２ａの一端は、メカニカルスイッチＳＷａの端子Ｔ３ａに接続し、他端は接地される。
【００４６】
図３に示すように、メカニカルスイッチＳＷａの端子Ｔ３ａには、電流を制限する抵抗Ｒ５ａを介して、トランジスターＱ１ａのベースが接続する。トランジスターＱ１ａは、ベースに出力される電圧に基づき、オンオフの動作を実行する。すなわち、トランジスターＱ１ａは、ベースに「Ｈｉｇｈ」レベルの電圧が出力された場合、オンの動作を実行し、一方で、ベースに「Ｌｏｗ」レベルの電圧が出力された場合、オフの動作を実行する。
【００４７】
トランジスターＱ１ａのコレクターは、抵抗Ｒ３ａ及び抵抗Ｒ４ａを介し、電力供給ライン３００ａに接続し、トランジスターＱ１ａのエミッターは、接地される。抵抗Ｒ３ａと抵抗Ｒ４ａとが接続するノードＰ１ａには、トランジスターＱＦａのゲートが接続する。抵抗Ｒ３ａ及び抵抗Ｒ４ａは、制御回路１０５ａに入力される電圧を分圧する。したがって、「Ｈｉｇｈ」レベルの電圧がトランジスターＱ１ａのベースに出力されると、トランジスターＱ１ａがオンの動作を実行し、ノードＰ１ａにおいて、抵抗Ｒ３ａ及び抵抗Ｒ４ａとにより分圧された電圧が生じる。本実施形態の場合、ノードＰ１ａには、４２ボルトを抵抗Ｒ３ａ及び抵抗Ｒ４ａにより分圧した電圧が生じる。この抵抗Ｒ３ａ及び抵抗Ｒ４ａの抵抗値は、トランジスターＱＦａのゲートに定格電圧が印加されるよう設定された値であればよい。ノードＰ１ａに電圧が生じることにより、トランジスターＱＦａのゲートに電圧が印加され、トランジスターＱＦａがオンの動作を実行する。
【００４８】
図３に示すように、抵抗Ｒ３ａには、並列してコンデンサーＣ１ａ（第１容量成分）が接続する。コンデンサーＣ１ａは、一端が電力供給ライン３００ａに接続し、他端がノードＰ１ａに接続する。トランジスターＱ１ａがオンの動作を実行した場合、制御回路１０５ａに入力される電力に基づきコンデンサーＣ１ａが電荷を蓄える。そのため、ノードＰ１ａに生じる電圧は、４２ボルトを抵抗Ｒ３ａ及び抵抗Ｒ４ａにより分圧した電圧の電圧値に向かって、緩やかに上昇する。つまり、トランジスターＱ１ａがオンの動作を実行した場合、トランジスターＱＦａのゲートに印加される電圧は、４２ボルトを抵抗Ｒ３ａ及び抵抗Ｒ４ａにより分圧した電圧の電圧値に向かって、緩やかに上昇する。
【００４９】
次に、従来の制御回路１０５ａの動作について説明する。
図４は、制御回路１０５ａの各部の状態を示すタイミングチャートである。図４の（Ａ）は、カバー２６の開閉の状態を示す。また、図４の（Ｂ）は、メカニカルスイッチＳＷａのオンオフの状態を示す。また、図４の（Ｃ）は、トランジスターＱ１ａのオンオフの状態を示す。また、図４の（Ｄ）は、トランジスターＱＦａのゲートに印加される電圧の状態を示す。
【００５０】
図４の説明において、タイミングチャートの開始時点では、カバー２６が開状態であるとする。
【００５１】
図４の（Ａ）に示すように、タイミングｔａにおいて、ユーザーの操作により、カバー２６が開状態から閉状態になったとする。すると、図４の（Ｂ）に示すように、メカニカルスイッチＳＷａは、状態をオフからオンに切り替える。すなわち、メカニカルスイッチＳＷａは、操作部Ｓａの状態を、端子Ｔ２ａと端子Ｔ３ａとを接続する状態から、端子Ｔ１ａと端子Ｔ３ａとを接続する状態に切り替える。この切り替えにより、電力供給ライン３００ａは、電源側から負荷側へ電力を供給する。この際、負荷側へ供給する電力の電流は、抵抗Ｒ２ａを介して負荷側へ流れる。そのため、負荷側に流れる電流が抑制され、負荷側に突入電流が流れることを防止する。
【００５２】
タイミングｔａにおいて、メカニカルスイッチＳＷａがオンになり、電源側から負荷側へ電力が供給されると、電解コンデンサーＣ２ａは、電荷を蓄える。
【００５３】
電解コンデンサーＣ２ａが電荷を蓄えると、負荷側の電圧が生じ、トランジスターＱ１ａのゲートに「Ｈｉｇｈ」レベルの電圧が出力される。すると、図４の（Ｃ）に示すように、タイミングｔｂにおいて、トランジスターＱ１ａは、オフからオンに動作を切り替る。タイミングｔｂ以降、トランジスターＱ１ａは、オンの動作を実行する。
【００５４】
トランジスターＱ１ａがオンの動作を実行すると、ノードＰ１ａにおいて電圧が生じる。そのため、図４の（Ｄ）に示すように、タイミングｔｂからトランジスターＱＦａのゲートに電圧が印加され、トランジスターＱＦａはオンの動作を実行し、ソースとドレインとの間に電流が流れる。
【００５５】
前述した通り、ノードＰ１ａにおける電圧は、コンデンサーＣ１ａより、４２ボルトを抵抗Ｒ３ａ及び抵抗Ｒ４ａで分圧した電圧の電圧値に向かって、緩やかに上昇する。従って、図４の（Ｄ）に示すように、タイミングｔｂ以降、トランジスターＱＦａのゲートに印加される電圧は、４２ボルトを抵抗Ｒ３ａ及び抵抗Ｒ４ａで分圧した電圧の電圧値に向かって、緩やかに上昇する。このように、トランジスターＱＦａのゲートに印加される電圧を緩やかに上昇させることで、ソースとドレインとの間に流れる電流を緩やかに上昇させるため、電源側から負荷側に突入電流が流れることを防止する。
【００５６】
ここで、タイミングｔｂ以降、ノードＰ１ａの電圧が緩やかに上昇し、タイミングｔｃにおいて、４２ボルトを抵抗Ｒ３ａ及び抵抗Ｒ４ａにより分圧した電圧の電圧値に達したとする。すると、図４の（Ｄ）に示すように、タイミングｔｃ以降、トランジスターＱＦａのゲートには、４２ボルトの抵抗Ｒ３ａ及び抵抗Ｒ４ａにより分圧した電圧が印加される。
【００５７】
図４の（Ａ）に示すように、タイミングｔｄにおいて、ユーザーの操作によって、カバー２６が閉状態から開状態になったとする。すると、図４の（Ｂ）に示すように、メカニカルスイッチＳＷａは、オンからオフに切り替る。すなわち、メカニカルスイッチＳＷａは、操作部Ｓａの状態を、端子Ｔ１ａと端子Ｔ３ａとを接続する状態から、端子Ｔ２ａと端子Ｔ３ａとを接続する状態に切り替る。この切り替えにより、電力供給ライン３００ａは、電源側から負荷側への電力の供給を停止する。
【００５８】
メカニカルスイッチＳＷａの操作部Ｓａの状態が、端子Ｔ２ａと端子Ｔ３ａとを接続する状態に切り替ると、電解コンデンサーＣ２ａは、蓄えた電荷を、抵抗Ｒ２ａを介してグランドに放電する。そのため、蓄えられた電荷は、速やかに放電される。この放電により、負荷側の電圧が０ボルトになり、トランジスターＱ１ａのベースには、「Ｌｏｗ」レベルの電圧が出力される。そのため、図４の（Ｃ）に示すように、トランジスターＱ１ａは、タイミングｔｄにおいて、速やかにオンからオフに動作を切り替る。
【００５９】
図４に示すように、タイミングｔｄにおいてトランジスターＱ１ａがオフの動作を実行すると、コンデンサーＣ１ａは、蓄えた電荷を放電する。この放電により、ノードＰ１ａの電圧は、低下する。コンデンサーＣ１ａに蓄えられた電荷の放電の態様は、緩やかに行われる。そのため、ノードＰ１ａの電圧は、緩やかに低下する。それに伴い、トランジスターＱＦａのゲートに印加される電圧は、緩やか低下する。そして、コンデンサーＣ１ａに蓄えられた電荷が放電しきると、ノードＰ１ａの４２ボルトとの電圧差が０ボルトになり、タイミングｔｅ以降、トランジスターＱＦａのゲートには、電圧が印加されない。すなわち、タイミングｔｅ以降、トランジスターＱＦａは、オフの動作を実行する。
【００６０】
ここで、従来の制御回路１０５ａには、以下に示す課題がある。
すなわち、カバー２６が閉状態から開状態になり、トランジスターＱＦａのソース−ゲートに印加される電圧間の電位差が０ボルトになる前に、再度、カバー２６が閉状態になった場合、トランジスターＱＦａはオンの動作を実行しているため、ソースとドレインとの間が導通しており、負荷側に突入電流が流れる可能性がある。図４に示すタイミングチャートでは、タイミングｔｄからタイミングｔｅの間において、カバー２６が閉状態になった場合、負荷側に突入電流が流れる場合がある。電力供給ライン３００ａには、電流値の大きい電流が流れた場合に、電流が流れを遮断するヒューズ３０１ａが設けられているが、上述したカバー２６の開閉が行われる度に、ヒューズ３０１ａが切れる可能性があるという懸念がある。
【００６１】
そこで、本実施形態の制御回路１０５は、以下の構成を有する。
図５は、本実施形態の制御回路１０５の構成を示す図である。
【００６２】
制御回路１０５は、ＡＣ／ＤＣコンバーター１０３から入力された電力（直流の４２ボルトの電力）に基づいて、印刷機構部１０１に電力を供給するための電力供給ライン３００を備える。以下の説明において、制御回路１０５に電力を供給する側を電源側と表現し、制御回路１０５が電力を供給する側を負荷側と表現する。本実施形態では、ＡＣ／ＤＣコンバーター１０３が制御回路１０５に電力を供給するため、ＡＣ／ＤＣコンバーター１０３が電源に相当し、ＡＣ／ＤＣコンバーター１０３が配置する側が電源側となる。また、本実施形態では、印刷機構部１０１は、制御回路１０５から電力が供給されるため、印刷機構部１０１が負荷に相当し、印刷機構部１０１が配置する側が負荷側となる。
【００６３】
制御回路１０５は、電力供給ライン３００に設けられた状態でトランジスターＱＦ（第２スイッチ回路）を備える。トランジスターＱＦは、図３のトランジスターＱＦａに対応し、ゲートに印加される電圧に基づいて、オンオフの動作を行う。図５に示すように、トランジスターＱＦは、メカニカルスイッチＳＷ（第１スイッチ回路）より電源側に設けられる。
【００６４】
本実施形態では、トランジスターＱＦが、ソースとドレインとの間が導通しており、当該間に電流が流れることが可能な状態を実行することを「トランジスターＱＦがオンの動作を実行する」と表現する。一方で、トランジスターＱＦがソースとドレインとの間が導通せず、当該間に電流が流れない状態を実行することを「トランジスターＱＦがオフの動作を実行する」と表現する。
トランジスターＱＦには、寄生ダイオードＤが、並行に接続して存在する。また、トランジスターＱＦには、並行に抵抗Ｒ１（第１抵抗）が接続する。寄生ダイオードＤは、図３の寄生ダイオードＤａに対応し、抵抗Ｒ１は、図３の抵抗Ｒ１ａに対応する。
【００６５】
トランジスターＱＦのドメインには、ヒューズ３０１が接続する。ヒューズ３０１は、図３のヒューズ３０１ａに対応する。
【００６６】
図５に示すように、制御回路１０５は、電力供給ライン３００に設けられた状態でヒューズ３０１の負荷側にメカニカルスイッチＳＷを設ける。
【００６７】
メカニカルスイッチＳＷは、図３のメカニカルスイッチＳＷａに対応する。すなわち、メカニカルスイッチＳＷが備える端子Ｔ１、端子Ｔ２、端子Ｔ３、及び、操作部Ｓは、図３の端子Ｔ１ａ、端子Ｔ２ａ、端子Ｔ３ａ、及び、操作部Ｓａに対応する。したがって、メカニカルスイッチＳＷは、カバー２６の開閉と連動するよう構成され、カバー２６の開閉に連動して、操作部Ｓの状態を切り替える。本実施形態の説明において、「メカニカルスイッチＳＷがオンである」ことは、操作部Ｓの状態が端子Ｔ１と端子Ｔ３とを接続する状態であることを示し、「メカニカルスイッチＳＷがオフである」ことは、操作部Ｓの状態が端子Ｔ２と端子Ｔ３とを接続する状態であることを示す。
【００６８】
図５に示すように、メカニカルスイッチＳＷの端子Ｔ１には、ヒューズ３０１が接続する。また、メカニカルスイッチＳＷの端子Ｔ２には、他端が接地された抵抗Ｒ２（第２抵抗）が接続する。また、メカニカルスイッチＳＷの端子Ｔ３には、負荷側に供給する電圧を安定するための電解コンデンサーＣ２（第２容量成分）が接続する。電解コンデンサーＣ２の一端は、メカニカルスイッチＳＷの端子Ｔ３に接続し、他端は接地される。
【００６９】
図５に示すように、電力供給ライン３００には、直列に接続した抵抗Ｒ３及び抵抗Ｒ４が接続する。抵抗Ｒ３は、一端が電力供給ライン３００に接続し、他端がノードＰ１に接続する。また、抵抗Ｒ４は、一端がノードＰ１に接続し、他端が接地される。ノードＰ１には、トランジスターＱＦのゲートが接続する。抵抗Ｒ３及び抵抗Ｒ４は、図３に示す抵抗Ｒ３ａ及び抵抗Ｒ４ａに対応し、制御回路１０５に入力される電圧を分圧する。本実施形態の場合、ノードＰ１には、４２ボルトを抵抗Ｒ３及び抵抗Ｒ４により分圧した電圧が生じる。ノードＰ１に電圧が生じることにより、トランジスターＱＦのゲートに電圧が印加され、トランジスターＱＦがオンの動作を実行する。
【００７０】
図５に示すように、抵抗Ｒ３には、並列してコンデンサーＣ１（第１容量成分）が接続する。コンデンサーＣ１は、一端が電力供給ライン３００に接続し、他端がトランジスターＱ３のエミッターに接続する。
【００７１】
図５に示すように、制御回路１０５は、フィードバック回路３０２を備える。
フィードバック回路３０２は、コンパレーターＣＰ（比較回路）を備える。コンパレーターＣＰは、オペアンプにより構成される。コンパレーターＣＰの反転入力端子（−）は、抵抗Ｒ６と抵抗Ｒ７とを接続するノードＰ２に接続される。抵抗Ｒ６は、一端がメカニカルスイッチＳＷの端子Ｔ３に接続し、他端がノードＰ２に接続する。抵抗Ｒ７は、一端がノードＰ２に接続し、他端が接地される。つまり、コンパレーターＣＰの反転入力端子（−）には、ノードＰ２において負荷側の電圧を抵抗Ｒ６及び抵抗Ｒ７により分圧した電圧が入力される。一方、コンパレーターＣＰの非反転入力端子（＋）は、抵抗Ｒ８と抵抗Ｒ９とを接続するノードＰ３に接続する。抵抗Ｒ８は、一端がロジック回路１００に接続し、他端がノードＰ３に接続する。抵抗Ｒ８は、ロジック回路１００の電源電圧が印加される。ロジック回路１００の電源電圧は、ドロッパー回路１０４で降圧された電圧であり、３．３ボルト又は５ボルトのいずれかである。抵抗Ｒ９は、一端がノードＰ２に接続し、他端が接地される。つまり、コンパレーターＣＰの非反転入力端子（＋）には、ロジック回路１００の電源電圧を分圧した電圧が入力される。
【００７２】
コンパレーターＣＰは、反転入力端子（−）で検出した電圧が非反転入力端子（＋）で検出した電圧を下回る場合、電流を制御する抵抗Ｒ１０を介してトランジスターＱ２のベースに、「Ｈｉｇｈ」レベルの電圧を出力する。また、反転入力端子（−）で検出した電圧が非反転入力端子（＋）で検出した電圧を上回る場合、コンパレーターＣＰは、「Ｌｏｗ」レベルの電圧をトランジスターＱ２のベースに出力する。
【００７３】
トランジスターＱ２は、ベースに出力される電圧に基づき、オンオフの動作を実行する。すなわち、トランジスターＱ２は、ベースに「Ｈｉｇｈ」レベルの電圧が出力された場合、オンの動作を実行し、一方で、ベースに「Ｌｏｗ」レベルの電圧が出力された場合、オフの動作を実行する。トランジスターＱ２のエミッターは、接地される。一方、トランジスターＱ２のコレクターは、電流を制限する抵抗Ｒ１１を介して、トランジスターＱ３のベースに接続する。
【００７４】
トランジスターＱ３は、ベースに出力される電圧に基づき、オンオフの動作を実行する。すなわち、トランジスターＱ３は、ベースに「Ｈｉｇｈ」レベルの電圧が出力された場合、オフの動作を実行し、一方で、ベースに「Ｌｏｗ」レベルの電圧が出力された場合、オンの動作を実行する。トランジスターＱ３のエミッターは、電力供給ライン３００に接続する。また、トランジスターＱ３のコレクターは、ノードＰ１に接続する。図５に示すように、トランジスターＱ３は、コンデンサーＣ１と並行に接続する。
【００７５】
図５に示すように、フィードバック回路３０２は、コンパレーターＣＰと、トランジスターＱ２と、トランジスターＱ３と、を備える。反転入力端子（−）に入力される電圧が、非反転入力端子（＋）に入力される電圧を下回ると、コンパレーターＣＰは、トランジスターＱ２に「Ｈｉｇｈ」レベルの電圧を出力する。トランジスターＱ２は、コンパレーターＣＰから「Ｈｉｇｈ」レベルの電圧が入力されると、オンの動作を実行し、トランジスターＱ３に「Ｌｏｗ」レベルの電圧を出力する。トランジスターＱ３は、トランジスターＱ２から「Ｌｏｗ」レベルの電圧が入力されると、オンの動作を実行する。
【００７６】
コンデンサーＣ１に電荷が蓄えられている場合、トランジスターＱ３がオンになると、コンデンサーＣ１が蓄える電荷は、速やかにトランジスターＱ３経由で放電される。そして、コンデンサーＣ１の極板間の電位差は、速やかにゼロになる。そのため、トランジスターＱ３がオンになると、トランジスターＱＦのゲートとソースとの間の電位差がなくなり、ノードＰ１の電圧は、０ボルトになる。そのため、オンの動作を実行していたトランジスターＱＦは、速やかにオフの動作を実行する。
なお、トランジスターＱ３がオンしている期間、コンデンサーＣ１の極板間の電位差は、ゼロであるため、ノードＰ１の電圧は、０ボルトである。したがって、当該期間、トランジスターＱＦは、オフの動作を実行する。
【００７７】
一方、反転入力端子（−）に入力される電圧が、非反転入力端子（＋）に入力される電圧を上回ると、コンパレーターＣＰは、トランジスターＱ２に「Ｌｏｗ」レベルの電圧を出力する。トランジスターＱ２は、コンパレーターＣＰから「Ｌｏｗ」レベルの電圧が入力されると、オフの動作を実行し、トランジスターＱ３に「Ｈｉｇｈ」レベルの電圧を出力する。トランジスターＱ３は、トランジスターＱ２から「Ｈｉｇｈ」レベルの電圧が入力されると、オフの動作を実行する。
【００７８】
次に、本実施形態の制御回路１０５の動作について説明する。
図６は、本実施形態の制御回路１０５の各部の状態を示すタイミングチャートである。図６の（Ａ）は、カバー２６の開閉の状態を示す。また、図６の（Ｂ）は、メカニカルスイッチＳＷのオンオフの状態を示す。また、図６の（Ｃ）は、コンパレーターＣＰの出力の状態を示す。図６の（Ｄ）は、トランジスターＱ２のオンオフの状態を示す。図６の（Ｅ）は、トランジスターＱ３のオンオフの状態を示す。また、図６の（Ｆ）は、トランジスターＱＦのゲートに印加される電圧の状態を示す。
【００７９】
図６の説明において、タイミングチャートの開始時点では、カバー２６が開状態であるとする。
【００８０】
図６の（Ａ）に示すように、タイミングｔ１において、ユーザーの操作により、カバー２６が開状態から閉状態になったとする。すると、図６の（Ｂ）に示すように、メカニカルスイッチＳＷは、オフからオンに切り替る。すなわち、メカニカルスイッチＳＷは、操作部Ｓの状態を、端子Ｔ２と端子Ｔ３とを接続する状態から、端子Ｔ１と端子Ｔ３とを接続する状態に切り替える。この切り替えにより、電力供給ライン３００は、電源側から負荷側へ電力を供給する。この際、負荷側へ供給する電力は、抵抗Ｒ２を介して負荷側へ供給される。そのため、負荷側に流れる電流が抵抗Ｒ２により制限され、負荷側に突入電流が流れることを防止できる。
【００８１】
タイミングｔ１において、メカニカルスイッチＳＷがオンになり、電源側から負荷側へ電力が供給されると、電解コンデンサーＣ２は、電荷を蓄える。
【００８２】
電解コンデンサーＣ２に電荷が蓄えると、負荷側の電圧が生じ、ノードＰ２に電圧生じる。ここで、電解コンデンサーＣ２の蓄電に伴い、負荷側の電圧が上昇し、タイミングｔ２において、ノードＰ２の電圧がノードＰ３の電圧を上回るとする。すると、コンパレーターＣＰの反転入力端子（−）に入力される電圧が、非反転入力端子（＋）に入力される電圧を上回るため、図６の（Ｃ）に示すように、コンパレーターＣＰは、トランジスターＱ２に「Ｌｏｗ」レベルの電圧を出力する。
【００８３】
タイミングｔ２において、コンパレーターＣＰが「Ｌｏｗ」レベルの電圧を出力すると、図６の（Ｄ）に示すように、トランジスターＱ２は、オフの動作を実行する。また、トランジスターＱ２がオフの動作を実行すると、トランジスターＱ３は、トランジスターＱ２から「Ｈｉｇｈ」レベルの電圧が入力され、図６の（Ｅ）に示すように、オフの動作を実行する。
【００８４】
トランジスターＱ２３がオフの動作を実行すると、トランジスターＱ３経由で電荷が放電されることがないため、コンデンサーＣ１は、電荷を蓄える。そして、ノードＰ１には、電圧が生じる。ノードＰ１における電圧は、コンデンサーＣ１の蓄電より、４２ボルトを抵抗Ｒ３及び抵抗Ｒ４で分圧した電圧の電圧値に向かって、緩やかに上昇する。従って、図６の（Ｆ）に示すように、タイミングｔ２以降、トランジスターＱＦのゲートに印加される電圧は、４２ボルトを抵抗Ｒ３及び抵抗Ｒ４で分圧した電圧の電圧値に向かって、緩やかに上昇する。このように、トランジスターＱＦのゲートに印加される電圧を緩やかに上昇させることで、ソースとドレインとの間に流れる電流を緩やかに上昇させるため、電源側から負荷側に突入電流が流れることを防止できる。
【００８５】
ここで、ノードＰ１の電圧が緩やかに上昇し、タイミングｔ３において、４２ボルトを抵抗Ｒ３及び抵抗Ｒ４により分圧した電圧に達したとする。すると、図６の（Ｆ）に示すように、タイミングｔ３以降、トランジスターＱＦのゲートには、４２ボルトの抵抗Ｒ３及び抵抗Ｒ４により分圧した電圧が印加される。
【００８６】
図６の（Ａ）に示すように、タイミングｔ４において、ユーザーの操作によって、カバー２６が閉状態から開状態になったとする。すると、図６の（Ｂ）に示すように、同タイミングにおいて、メカニカルスイッチＳＷは、オフからオンに切り替る。すなわち、メカニカルスイッチＳＷは、操作部Ｓの状態を、端子Ｔ１と端子Ｔ３とを接続する状態から、端子Ｔ２と端子Ｔ３とを接続する状態に切り替える。この切り替えにより、電力供給ライン３００は、電源側から負荷側への電力の供給を停止する。このように、カバー２６が閉状態から開状態になった場合、負荷側への電力の供給を停止するため、露出した印刷機構部１０１の動作を停止でき、安全性を確保できる。
【００８７】
メカニカルスイッチＳＷの操作部Ｓの状態が、端子Ｔ２と端子Ｔ３とを接続する状態に切り替ると、電解コンデンサーＣ２に蓄えられた電荷が抵抗Ｒ２を介してグランドに放電する。そのため、当該電荷は、速やかに放電される。この放電により、負荷側の電圧が速やかに０ボルトとなり、ノードＰ２の電圧もボルトとなる。すると、反転入力端子（＋）に入力される電圧が０ボルトとなり、反転入力端子（＋）に入力される電圧が非反転入力端子（＋）に入力される電圧を下回るため、コンパレーターＣＰは、図６の（Ｃ）に示すように、タイミングｔ４において、「Ｈｉｇｈ」レベルの電圧を出力する。
前述したように、非反転入力端子（＋）にはロジック回路１００の電源電圧を分圧した電圧が入力される。図２に示すように、ロジック回路１００に電力を供給する供給先は、印刷機構部１０１に電力を供給する供給先と異なる。したがって、カバー２６が開状態であり、印刷機構部１０１に電力が供給されない場合であっても、ロジック回路１００には電力が供給されているため、非反転入力端子（＋）には、ロジック回路１００の電源電圧が分圧された電圧が入力される。これにより、コンパレーターＣＰは、負荷側への電力の供給のオンオフに係らず、負荷側の電圧について比較できる。
【００８８】
タイミングｔ４において、コンパレーターＣＰが「Ｈｉｇｈ」レベルの電圧を出力すると、図６の（Ｄ）に示すように、トランジスターＱ２は、オンの動作を実行する。また、トランジスターＱ２がオンの動作を実行すると、トランジスターＱ３は、トランジスターＱ２から「Ｌｏｗ」レベルの電圧が入力され、図６の（Ｅ）に示すように、オンの動作を実行する。
【００８９】
前述した通り、トランジスターＱ３がオンになると、コンデンサーＣ１が蓄える電荷は、速やかにトランジスターＱ３経由で放電される。そして、コンデンサーＣ１の極板間の電位差は、速やかにゼロになる。そのため、トランジスターＱ３がオンになると、トランジスターＱＦのゲートとソースとの間の電位差がなくなり、ノードＰ１の電圧は、０ボルトになる。そのため、図６の（Ｆ）に示すように、タイミングｔ４において、ソース−ゲートに印加される電圧間の電位差は、０ボルトになり、オンの動作を実行していたトランジスターＱＦは、速やかにオフの動作を実行する。
【００９０】
このように、トランジスターＱＦのソースとゲートとの間にあるコンデンサーＣ１の電荷が速やかに放電され、トランジスターＱＦは、速やかにオフの動作を実行する。すなわち、カバー２６が閉状態から開状態になると、速やかにソースとドレインとの間の導通が遮断される。したがって、カバー２６が閉状態から開状態になった後、直ぐに閉状態なった場合でも、突入電流が負荷側に流れることを抑制できる。また、このようなカバー２６の開閉の操作が行われた場合でも、突入電流を抑制できるため、当該操作が行われる度に、ヒューズ３０１が切れる可能性があることの懸念を解消できる。また、このようなカバー２６の開閉の操作が行われた場合でも、突入電流を抑制できるため、電力供給ライン３００に電流値の大きい電流が流れることを抑制でき、定格の小さいヒューズ３０１を制御回路１０５に設けることができる。そのため、制御回路１０５の基板面積を従来の制御回路１０５ａの基板面積より縮小できる。
【００９１】
図６に示すタイミングチャートの説明に戻り、図６の（Ａ）に示すように、ユーザーの操作によって、タイミングｔ５において、カバー２６が開状態から閉状態になったとする。すると、図６の（Ｂ）に示すように、メカニカルスイッチＳＷは、オフからオンに切り替える。この切り替えにより、電力供給ライン３００は、電源側から負荷側へ電力を供給する。前述した通り、この場合、負荷側へ供給する電力は、抵抗Ｒ２を介して負荷側へ供給されるため、負荷側に突入電流が流れることを防止できる。
【００９２】
タイミングｔ５において、メカニカルスイッチＳＷがオンになり、電源側から負荷側へ電力が供給されると、電解コンデンサーＣ２は、電荷を蓄える。
【００９３】
電解コンデンサーＣ２に電荷が蓄えると、負荷側の電圧が生じ、ノードＰ２に電圧生じる。電解コンデンサーＣ２の蓄電に伴い、負荷側の電圧が上昇し、タイミングｔ６において、ノードＰ２の電圧がノードＰ３の電圧を上回るとする。すると、コンパレーターＣＰの反転入力端子（−）に入力される電圧が、非反転入力端子（＋）に入力される電圧を上回る。そのため、図６の（Ｃ）に示すように、タイミングｔ６において、コンパレーターＣＰは、トランジスターＱ２に「Ｌｏｗ」レベルの電圧を出力する。
【００９４】
タイミングｔ６において、コンパレーターＣＰが「Ｌｏｗ」レベルの電圧を出力すると、図６の（Ｄ）に示すように、トランジスターＱ２は、オフの動作を実行する。また、トランジスターＱ２がオフの動作を実行すると、トランジスターＱ３は、トランジスターＱ２から「Ｈｉｇｈ」レベルの電圧が入力され、図６の（Ｅ）に示すように、オフの動作を実行する。
【００９５】
トランジスターＱ２３がオフの動作を実行すると、電荷がトランジスターＱ３経由で放電されず、コンデンサーＣ１は、電荷を蓄える。そして、ノードＰ１には、４２ボルトを抵抗Ｒ３及び抵抗Ｒ４で分圧した電圧の電圧値に向かって、緩やかに電圧が生じる。
【００９６】
以上、説明したように、本実施形態のプリンター１は、印刷機構部１０１と、印刷機構部１０１を覆うカバー２６と、電源と、電源から印刷機構部１０１を有する負荷側へ電力を供給する電力供給ライン３００を有し、負荷側への電力の供給を制御する制御回路１０５とを備える。制御回路１０５は、カバー２６の開閉に応じて、電力供給ライン３００から負荷側への電力の供給をオンオフするメカニカルスイッチＳＷ（第１スイッチ回路）と、電力供給ライン３００上においてメカニカルスイッチＳＷより電源側に配置され、メカニカルスイッチＳＷへの電力の供給をオンオフするトランジスターＱＦ（第２スイッチ回路）と、トランジスターＱＦに対して並行に接続する抵抗Ｒ１（第１抵抗）と、負荷側の電圧をトランジスターＱＦにフィードバックする回路であって、ロジック回路１００に供給すると負荷側の電圧とを比較するコンパレーターＣＰ（比較回路）を有するフィードバック回路３０２と、を有する。カバー２６が開いた場合、メカニカルスイッチＳＷは、電力供給ライン３００から負荷側への電力の供給をオフにする。制御回路１０５は、負荷側の電圧低下に伴いフィードバック回路３０２が備えるコンパレーターＣＰによりトランジスターＱＦをオフにする。カバー２６が閉じた場合、メカニカルスイッチＳＷは、電力供給ライン３００から負荷側への電力の供給をオンにする。制御回路１０５は、トランジスターＱＦがオフの状態で抵抗Ｒ１を介して負荷側へ電力を供給し、負荷側の電圧上昇に伴い、フィードバック回路３０２が備えるコンパレーターＣＰによりトランジスターＱＦをオンにする。
【００９７】
このように、カバー２６が開状態である場合、印刷機構部１０１を有する負荷側への電力の供給をオフにし、カバー２６が閉じた場合、抵抗Ｒ２及びコンパレーターＣＰによるトランジスターＱＦのオンにより負荷側へ電力を供給する。そのため、カバー２６の開閉の状態に応じて、適切に印刷機構部１０１への電力の供給を制御した上で、突入電流が流れることを防止できる。
【００９８】
また、トランジスターＱＦは、コンデンサーＣ１（第１容量成分）を備える。制御回路１０５は、コンパレーターＣＰによりトランジスターＱＦのコンデンサーＣ１に蓄えられた電荷を放電させ、トランジスターＱＦをオフにする。
【００９９】
これにより、コンパレーターＣＰによりトランジスターＱＦのコンデンサーＣ１に蓄えられた電荷を放電させ、速やかトランジスターＱＦをオフにするため、カバー２６を開閉する期間が短い期間、すなわち、カバー２６が開状態から閉状態になった後、直ぐに閉状態になった場合でも、負荷側へ突入電流が流れることを抑制できる。
【０１００】
また、制御回路１０５は、接地された抵抗Ｒ２（第２抵抗）と、負荷側に電解コンデンサーＣ２（第２容量成分）を備える。制御回路１０５は、メカニカルスイッチＳＷがオフの場合、抵抗Ｒ２を介して、負荷側の電解コンデンサーＣ２が蓄える電荷を放電させる。
【０１０１】
これにより、抵抗Ｒ２を介して電解コンデンサーＣ２に蓄えられた電荷を速やかに放電するため、負荷側の電圧を速やかに０ボルトにでき、トランジスターＱＦを速やかにオフにできる。
【０１０２】
また、コンパレーターＣＰは、ロジック回路１００の電源電圧を分圧した電圧と、負荷側の電圧を比較する。
【０１０３】
これにより、コンパレーターＣＰがロジック回路１００の電源電圧を分圧し電圧と、負荷側の電圧を比較するため、負荷側への電力の供給のオンオフに係らず、負荷側の電圧について比較できる。
【０１０４】
また、電力供給ライン３００には、カバー２６の開閉と連動するメカニカルスイッチＳＷと、トランジスターＱＦとが設けられる。
【０１０５】
これにより、メカニカルスイッチＳＷであるため、電圧の印加等の制御によりオンオフがすることがなく、確実に、ユーザーの操作によるカバー２６の開閉に応じて、負荷側への電力の供給を制御できる。また、電力供給ライン３００のトランジスターＱＦのオンオフは、ゲートに印加される電圧に基づき行われるため、ユーザーの誤操作等によりオンオフを実行しない。以上から、カバー２６の開閉に応じて、確実に負荷側への電力の供給を制御でき、ユーザーの誤操作に影響なく突入電流を抑制できる。
【０１０６】
上述した実施形態は、あくまで発明の一態様を示すものであり、本発明の範囲内で任意に変形および応用が可能である。
【０１０７】
例えば、上述した実施形態では、ドロッパー回路１０４が３．３ボルト又は５ボルトの電力を生成し、ロジック回路１００に電力を供給する場合を例示した。しかしながら、ロジック回路１００が複数ある場合、ドロッパー回路１０４は、３．３ボルト、及び、５ボルトの電力を生成し、対応するロジック回路１００に出力する。この場合、制御回路１０５は、３．３ボルト、及び、５ボルトのいずれかの電圧に基づいて、負荷側の電圧をコンパレーターＣＰにより比較する。
【０１０８】
また、例えば、上述した実施形態では、コンデンサーＣ１は、トランジスターＱＦのソースとゲートに接続されたコンデンサーとして例示したが、トランジスターＱＦの寄生コンデンサーとしてもよい。
【０１０９】
また、例えば、図５に示した回路構成は一例であって、図に示した回路素子を同数または異なる数のＩＣで置き換える等の構成変更が可能であり、本発明の範囲において任意に変更可能である。
【０１１０】
また、例えば、図２に示した各機能部は機能的構成を示すものであって、具体的な実装形態は特に限定されない。つまり、必ずしも各機能部に個別に対応するハードウェアが実装される必要はなく、一つのプロセッサーがプログラムを実行することで複数の機能部の機能を実現する構成とすることも勿論可能である。また、上述した各実施形態においてソフトウェアで実現される機能の一部をハードウェアとしてもよく、或いは、ハードウェアで実現される機能の一部をハードウェアで実現してもよい。その他、プリンター１の他の各部の具体的な細部構成についても、本発明の趣旨を逸脱しない範囲で任意に変更可能である。
【０１１１】
また、例えば、上述した実施形態において、プリンター１をインクジェットプリンターとして例示したが、これに限定されない。例えば、サーマルプリンターや、ドットインパクトプリンター、レーザープリンター等の他のプリンターでも本発明を適応できる。
【符号の説明】
【０１１２】
１…プリンター、Ｃ１…コンデンサー、Ｃ２…電解コンデンサー、Ｐ１…ノード、Ｐ２…ノード、Ｐ３…ノード、Ｑ２…トランジスター、Ｑ３…トランジスター、Ｒ１〜Ｒ９…抵抗、Ｔ１〜Ｔ３…端子、１０５…制御回路、３００…電力供給ライン、３０１…ヒューズ、３０２…フィードバック回路、Ｃ２…電解コンデンサー、ＣＰ…コンパレーター、Ｄ…寄生ダイオード、ＤＧ…商用交流電源、ＱＦ…トランジスター、Ｓ…操作部、ＳＷ…メカニカルスイッチ。
【図１】
0006575351.tif 000002
【図２】
0006575351.tif 000003
【図３】
0006575351.tif 000004
【図４】
0006575351.tif 000005
【図５】
0006575351.tif 000006
【図６】
0006575351.tif 000007